(57)【要約】【課題】カメラとＧＰＳ機能と文字入力機能を有する携帯電話を用いて位置情報を収集する。【解決手段】カメラとＧＰＳ機能と文字入力機能を備えた携帯電話１により撮影された画像データと、その撮影位置の位置データと、その画像情報に関して入力された文字データをインターネット２を介してメールサーバー３へ送信する。メールサーバー３に着信された前記画像、位置、文字の各データをインターネット２を介して所定の利用者端末４に呼び出し、ＧＩＳアプリケーションソフト７を用いてその各データを端末４に備えたベースマップ５に対応させて編集および管理する。また、端末４によりベースマップ５に対応させて編集および管理された各データをホームページ上に公開する。【選択図】  図１
2004357222.tif 000002
【特許請求の範囲】
【請求項１】
カメラとＧＰＳ機能と文字入力機能を備えた携帯電話と、
この携帯電話により撮影された画像データとその撮影位置の位置データとその画像情報に関して入力された文字データをインターネットを介してメールサーバーへ送信する手段と、
前記メールサーバーに着信された前記画像、位置、文字の各データをインターネットを介して所定の端末に呼び出しその各データを端末に備えたベースマップに対応させて編集および管理する手段と、
を備えたことを特徴とする位置情報収集システム。
【請求項２】
請求項１に記載の位置情報収集システムにおいて、
前記所定端末によりベースマップに対応させて編集および管理された各データをホームページ上に公開することを特徴とする位置情報収集システム。
【請求項３】
請求項１または２に記載の位置情報収集システムにおいて、
前記携帯電話に入力される文字データとして予め定められたコードテーブルに基づくコードを用いたことを特徴とする位置情報収集システム。
【請求項４】
請求項３に記載の位置情報収集システムにおいて、
前記コードとして階層構造を有するレイヤコード、属性コードおよび選択肢コードを用いたことを特徴とする位置情報収集システム。
【発明の詳細な説明】
【０００１】
【発明の属する技術分野】
本発明は、カメラとＧＰＳ機能を備えた携帯電話を用いて位置情報を収集し、それを地図に対応させて編集・管理し、可能な場合はホームページ上で公開する位置情報収集システムに関する。
【０００２】
【従来の技術】
近年、携帯電話が多機能化し、カメラを備えて撮影画像を送信したり、ＧＰＳ機能を有して現在位置を検出することが可能となった。従来、ＧＰＳ機能を有する携帯電話の応用例として「移動者安全確認装置および携帯端末」（特許文献１）がある。これは、表示部に安全確認対象領域の地図を表示し、エスコート要請を受けると、対象者の予定移動経路を地図に重ねて表示し、現在位置を受信し、その現在位置を順次地図に表示し、対象者の実際の移動経路を地図に重ねて表示し、予定移動経路と現在位置との距離が所定値を越えたときには、経路逸脱と見なして、非常通報信号の受信を待つことなく、警報を発するものである。
【０００３】
【特許文献１】
特開２００１−７６２８９号公報
【０００４】
【発明が解決しようとする課題】
このように、携帯電話にＧＰＳ機能が備わったことで、携帯電話の保持者の位置を正確に検出してそれを地図上に表示することが可能となった。さらに近年のデジタルカメラの進歩により、この携帯電話に小型のデジタルカメラカメラを備えることが可能となった。その結果、現在位置情報にその位置の画像情報が加わることが可能になり、これらの機能による新たな用途の展開が可能となった。そこで、本発明は、カメラとＧＰＳ機能を備えた携帯電話を用いて位置情報を収集し、それを地図に対応させて編集・管理し、可能な場合はホームページ上で公開する位置情報収集システムを提供することを目的とした。
【０００５】
【課題を解決するための手段】
上記課題を解決するために、本発明に係る位置情報収集システムは、カメラとＧＰＳ機能と文字入力機能を備えた携帯電話と、この携帯電話により撮影された画像データとその撮影位置の位置データとその画像情報に関して入力された文字データをインターネットを介してメールサーバーへ送信する手段と、前記メールサーバーに着信された前記画像、位置、文字の各データをインターネットを介して所定の端末に呼び出しその各データを端末に備えたベースマップに対応させて編集および管理する手段とを備えたことを特徴とする。また、上記構成に加えて、前記所定端末によりベースマップに対応させて編集および管理された各データをホームページ上に公開することも可能である。さらに、前記携帯電話に入力される文字データとして予め定められたコードテーブルに基づくコードを用いることが可能である。なお、このコードとして階層構造を有するレイヤコード、属性コードおよび選択肢コードを用いることが好ましい。
【０００６】
【発明の実施の形態】
以下、図に基づいて本発明の実施形態を説明する。
図１は本発明に係る位置情報収集システムの構成を示す図である。本発明に係る位置情報収集システムは、図示されるように、デジタルカメラとＧＰＳ機能と文字（テキスト）入力機能を備えた携帯電話１と、インターネット２と、メールサーバー３と、利用者端末４から構成される。この利用者端末４には、位置情報を収集する対象地域のベースマップ・収集データ５とデータ変換ソフト６、ＧＩＳ（地理情報システム）アプリケーションソフト７が備えられている。
【０００７】
図２は図１のように構成された位置情報収集システムの動作を示すフローチャートである。情報収集者は、図１に示されたデジタルカメラとＧＰＳ機能と文字入力機能を備えた携帯電話１を所持して、対象地域を歩き回り、これはと思う対象を携帯電話１のカメラにより撮影する。撮影画像は静止画、動画のいずれでも良い。次いで、撮影した地点の位置をＧＰＳ機能により求めて得られた位置データを画像情報に附加し、さらに、文字入力機能によりその画像情報へのコメントを入力して、インターネット２上の既存のメールサーバー３へ送信する。なお、コメントは予め内容が想定できるため、コードテーブルを用意しておき、コードテーブル上の該当するコードで入力するようにしてコメントの入力作業を簡便化することができる。コードテーブルにない特別なコメント内容のときのみ文字入力するようにする。このようにしてメールサーバー３には、対象地域内の複数の地点についてそれぞれ画像情報と位置情報とコメントが蓄積されていく。
【０００８】
ここで、利用者端末４の利用者がクライアントメールソフトを用いて、メールサーバー３に蓄積された情報を、利用者端末４であるパソコンに呼び出す。次に、利用者は、ＧＩＳソフト７を用いて、予め用意しておいたベースマップ上の該当位置に、送られてきた位置情報に基づき画像情報およびコメントを配置し、必要な場合は画像情報およびコメントに処理加工を施す。ベースマップとしては、国土地理院の数値地図等が使用可能である。こうしてベースマップ上の多数位置に画像情報およびコメントが配置されたことで、利用者はそれらを地図に対応させながら利用することが可能になる。また、得られたデータを特定テーマに絞り編集して新たな角度で利用することも可能となる。さらには、こうして収集した位置情報が公開しても問題が無い場合は、ホームページ上で公開して一般の人達に利用してもらうことも可能である。なお、当然ではあるがコメントに他人を中傷誹謗する内容のものがある場合は、それらを削除してから公開する。
【０００９】
図３は携帯電話に入力されるコメントをコードにした場合のコードテーブルの構成の一例を示す図である。ここでは図示されるように、コードは階層構造を有し、最上位に３桁のレイヤコードが位置し、その下位に２桁の属性コードが位置し、その下位に１桁の選択肢コードが位置する。なお、属性コードは選択式と記述式の２種類とすることができる。このようにして構成されたコードテーブルを用いてコードを入力する場合は、表１に示すようなコードテーブル入力規則に従って入力する。
【００１０】
【表１】
2004357222.tif 000003
【００１１】
なお、上述した携帯電話により収集される位置情報としては、例えば（１）路面情報として、障害者向け点字ブロックの有無、路面の凹凸振動度・傾斜・舗装内容等、車椅子で歩いた時の危険度、浸水（冠水）しやすい道路等がある。また、（２）道路空間情報として、道路占有物の有無、交差点の危険度、交通事故情報等がある。さらには、（３）道路周辺情報として、施設状況（バリアフリー施設、公園、公共施設等の所在）、景観の優れた地点、臭いの情報等がある。またさらには、（４）道路を利用したイベント情報として、お祭り等の行事等の情報を収集することができる。
【００１２】
本発明では、携帯電話の利用により、住民誰もが情報提供者として参加できる特徴がある。情報内容に合わせ、ＧＰＳ付携帯電話を利用した画像情報、メールによるコメント等による情報収集が可能であり、誰でも参加することができる。また、同じ端末へ多数の人が位置情報付きメールを送ることにより、多くの意見が同じ画面上に配置され、意見集約の道具としても活用できる。
【００１３】
また、本発明は教材として活用することも可能である。例えば、飲食店やイベント情報などを収集し、個人のプライベートマップとしても活用できるが、複数の人が参加できるソフトであることから、地域情報の収集を通じて地域社会への認識を高める効果があり、学校の地域学習の教材ソフトとしても活用できる。
さらに、本発明は、まちづくり、地域ビジネス等に大きな可能性が得られる。すなわち、地図上に表現することで地域限定の情報交換が行われ、従来は限られた範囲に留まっていた地域情報が、コミニュティ全体に伝達することができるようになる。例えば、まちづくりの事務所等に本ソフトを置き、そこへ多数からメールが集まれば、まちづくりのコミニュケーションが活発化し、地域づくりの貴重な意見交換の場となり、住民の意見を反映した交通計画、道路整備計画等として、地域行政への活用も期待できる。
【００１４】
なお、本発明の実施形態では、携帯電話１からメールサーバー３への地域情報の送信と、メールサーバー３から端末４への地域情報の呼び出しと、呼び出し後の地域情報の処理をマニュアルにより実施しているが、これらの動作も自動的に行わせることも可能である。すなわち、携帯電話１を保持した情報の提供者が、特定対象に携帯電話１のカメラを向けて撮影ボタンを押すと、その対象が撮像され、次いでその撮像位置がＧＰＳ機能により自動的に検出されて画像データに位置データとして附加されて地域情報となる。次いで、地域情報は予めアドレスが登録されているメールサーバー３へ自動的に送られる。同様に、メールーサーバー３に蓄積された地域情報も、自動的に端末４に呼び出されて順にベースマップ上に配置されて利用可能な状態となる。さらに、これらの地域情報をホームページ上に公開している場合は、自動的に順次あるいは一定時間ごとにホームページを更新していくようにする。
【００１５】
【発明の効果】
以上述べたように本発明によれば、携帯電話により撮影された画像データとその撮影位置の位置データとその画像情報に関して入力された文字データをインターネットを介してメールサーバーへ送信し、メールサーバーに着信された前記画像、位置、文字の各データをインターネットを介して所定の端末に呼び出しその各データをベースマップに対応させて編集および管理することで、地域の複数の地点の位置情報が地図に対応した画像データとともに入手可能となり、有用な位置情報収集システムが得られる。また、これら位置情報がホームページ上に公開されると、一般大衆は有益な位置情報を利用することが可能となる。
【図面の簡単な説明】
【図１】本発明に係る位置情報収集システムの構成を示す図である。
【図２】本発明の位置情報収集システムの動作を示すフローチャートである。
【図３】コードテーブルの構成の一例を示す図である。
【符号の説明】
１  携帯電話
２  インターネット
３  メールサーバー
４  利用者端末
５  ベースマップ・収集データ
６  データ変換ソフト
７  ＧＩＳ（地理情報システム）アプリケーションソフト
【図１】
2004357222.tif 000004
【図２】
2004357222.tif 000005
【図３】
2004357222.tif 000006